(57)【要約】【課題】冷蔵室内が過度に冷却されることを防止できながら、ヒータおよびヒータの作動および停止を切り替えるリレーの長寿命化が図れる冷凍冷蔵庫を得る。【解決手段】本発明の冷凍冷蔵庫は、冷蔵室５および冷凍室６の各冷却器７・９の冷媒入口７ａ・９ａが、電磁弁１５・１９を介して同一の圧縮機１２の冷媒出口１２ｂ側にそれぞれ接続される。冷蔵室５および冷凍室６には、温度センサ２５・２６がそれぞれ配置され、制御部２３が、各電磁弁１５・１９のオンオフを制御するとともに保温ヒータ２２の作動を制御する。制御部２３は、冷蔵室用の電磁弁１５がオフ、かつ冷凍室用の電磁弁１９がオンである状態で、冷蔵室５の検知温度ＤＲがヒータオン温度値ＤＨｎ以下になると計時を開始し、計時時間Ｔが待機時間Ｈｔを経過したときに、冷蔵室５の検知温度ＤＲがヒータオン温度値ＤＨｎ以下の場合に保温ヒータ２２を作動させる。【選択図】図１
2010025485.tif 000002
【特許請求の範囲】
【請求項１】
冷蔵室（５）および冷凍室（６）を有するとともに、これら冷蔵室（５）および冷凍室（６）に冷却器（７・９）をそれぞれ配置していて、各冷却器（７・９）に供給される冷媒の気化熱で冷蔵室（５）および冷凍室（６）が冷却される冷凍冷蔵庫であって、
各冷却器（７・９）の冷媒入口（７ａ・９ａ）が、電磁弁（１５・１９）を介して同一の圧縮機（１２）の冷媒出口（１２ｂ）側にそれぞれ接続され、各冷却器（７・９）の冷媒出口（７ｂ・９ｂ）が、前記圧縮機（１２）の冷媒入口（１２ａ）側にそれぞれ接続され、
冷蔵室（５）および冷凍室（６）には、各室（５・６）内の温度を検知する温度センサ（２５・２６）がそれぞれ配置されており、
各温度センサ（２５・２６）の検知温度に基づいて、各室（５・６）内が所定の温度範囲内になるように各電磁弁（１５・１９）のオンオフを制御するとともに、冷蔵室（５）内を加温する保温ヒータ（２２）の作動を制御する制御部（２３）が設けられており、
制御部（２３）は、冷蔵室用の電磁弁（１５）がオフ、かつ冷凍室用の電磁弁（１９）がオンである状態で、冷蔵室用の温度センサ（２５）による冷蔵室（５）の検知温度（ＤＲ）が所定のヒータオン温度値（ＤＨｎ）以下になると計時を開始し、該計時時間（Ｔ）が所定の待機時間（Ｈｔ）を経過したときに、冷蔵室（５）の検知温度（ＤＲ）がヒータオン温度値（ＤＨｎ）以下の場合には、保温ヒータ（２２）を作動させ、該冷蔵室（５）の検知温度（ＤＲ）がヒータオン温度値（ＤＨｎ）よりも高い場合には、保温ヒータ（２２）を作動させないことを特徴とする冷凍冷蔵庫。
【請求項２】
制御部（２３）は、保温ヒータ（２２）が作動したのちに、冷蔵室（５）の検知温度（ＤＲ）がヒータオン温度値（ＤＨｎ）よりも高い温度値である所定のヒータオフ温度値（ＤＨｆ）以上になると、保温ヒータ（２２）を停止させる請求項１に記載の冷凍冷蔵庫。
【請求項３】
保温ヒータ（２２）は、冷蔵室（５）の冷却器（７）に臨ませて配置されていて、冷蔵室用の冷却器（７）の除霜用のヒータを兼ねている請求項１又は２記載の冷凍冷蔵庫。
【発明の詳細な説明】
【技術分野】
【０００１】
本発明は、冷蔵室と冷凍室とを備えて、これら冷蔵室と冷凍室とを一台の圧縮機および凝縮器を用いて冷却する冷凍冷蔵庫に関する。
【背景技術】
【０００２】
この種の冷凍冷蔵庫としては、例えば特許文献１および２に示すものが挙げられる。特許文献１および２の冷凍冷蔵庫では、仕切り壁にて庫内を仕切って冷蔵室と冷凍室とを形成している。これら冷蔵室と冷凍室との各室内には、冷却器がそれぞれ配置されており、冷媒が圧縮機で圧縮されて凝縮器で液化したのち、各室内の冷却器に向けて送られて気化することで、各室内が冷却される。そして、かかる各冷却器の冷媒出口から排出された冷媒は、圧縮機に戻ることになる。
【０００３】
また、特許文献１の冷凍冷蔵庫では、冷蔵室と冷凍室との各室内に温度センサがそれぞれ配置されている。そして、特許文献１の冷凍冷蔵庫では、該冷凍冷蔵庫に配置した制御部（コントローラ）が、各温度センサでの検知温度に基づいて、圧縮機と、該圧縮機と各室の冷却器の間の管路に設けた三方弁との作動を制御して、各室内の温度がそれぞれ所定の設定温度範囲内になるように制御している。
【０００４】
【特許文献１】特開２００７−９３０５２号公報（図１−２）
【特許文献２】実開昭５５−７３７９４号公報（第１図）
【発明の開示】
【発明が解決しようとする課題】
【０００５】
特許文献１や特許文献２に示すような冷凍冷蔵庫では、例えば冷蔵室の温度が所定の設定温度範囲以下となって、冷蔵室用の冷却器への冷媒の供給が停止した状態であっても、冷凍室の冷却が行われているときには圧縮機が作動している。これに伴って冷蔵室用の冷却器の冷媒出口側の圧力が低下してしまい、冷蔵室用の冷却器に残留している冷媒が気化して冷蔵室内が冷却され、冷蔵室内の温度が低下する。
【０００６】
つまり、例えば特許文献１の冷凍冷蔵庫では、冷蔵室が所定の温度範囲以下に冷却されたときには、三方弁が切り替えられて冷凍室用の冷却器に冷媒が送られて、冷蔵室用の冷却器には冷媒が送られないが、圧縮機が作動しているために前述のように残留冷媒が気化して冷蔵室の温度低下を招いてしまう。この場合、冷蔵室内の貯蔵物の凍結等を招いてしまう。
【０００７】
これに対して、特許文献２の冷凍冷蔵庫では、冷蔵室内にヒータを設けてあり、圧縮機が停止して冷蔵室用の冷却器に冷媒が供給されていないときに、ヒータを作動（オン）させて冷却器の表面温度を０℃以上になるように保つようになっている。かかるヒータを用いることで冷蔵室内の温度が過度に低下することを防止できる。
【０００８】
しかし、圧縮機が停止する毎にヒータを作動させると、この分だけヒータの作動および停止を切り替えるリレーの過多なオンオフ動作を招いてしまい、該リレーの寿命を縮めるとともに、ヒータの作動回数が過多になる分だけヒータの寿命を縮めることになる。また、圧縮機が停止する毎にヒータを作動させる分だけ消費電力の増加を招いてしまう。
【０００９】
本発明は、以上のような問題を解決するためになされたものであり、冷蔵室内が過度に冷却されることを防止できながら、ヒータおよび該ヒータの作動および停止を切り替えるリレーの長寿命化が図れ、必要以上にヒータを作動させないことで省電力化が図れる冷凍冷蔵庫を提供することを目的とする。
【課題を解決するための手段】
【００１０】
本発明に係る冷凍冷蔵庫は、冷蔵室５および冷凍室６を有するとともに、これら冷蔵室５および冷凍室６に冷却器７・９をそれぞれ配置していて、各冷却器７・９に供給される冷媒の気化熱で冷蔵室５および冷凍室６が冷却される冷凍冷蔵庫を対象とする。そして、前記各冷却器７・９の冷媒入口７ａ・９ａが、電磁弁１５・１９を介して同一の圧縮機１２の冷媒出口１２ｂ側にそれぞれ接続され、各冷却器７・９の冷媒出口７ｂ・９ｂが、圧縮機１２の冷媒入口１２ａ側にそれぞれ接続され、冷蔵室５および冷凍室６には、各室５・６内の温度を検知する温度センサ２５・２６がそれぞれ配置されており、各温度センサ２５・２６の検知温度に基づいて、各室５・６内が所定の温度範囲内になるように各電磁弁１５・１９のオンオフを制御するとともに、冷蔵室５内を加温する保温ヒータ２２の作動を制御する制御部２３が設けられており、制御部２３は、冷蔵室用の電磁弁１５がオフ、かつ冷凍室用の電磁弁１９がオンである状態で、冷蔵室用の温度センサ２５による冷蔵室５の検知温度ＤＲが所定のヒータオン温度値ＤＨｎ以下になると計時を開始し、該計時時間Ｔが所定の待機時間Ｈｔを経過したときに、冷蔵室５の検知温度ＤＲがヒータオン温度値ＤＨｎ以下の場合には、保温ヒータ２２を作動させ、該冷蔵室５の検知温度ＤＲがヒータオン温度値ＤＨｎよりも高い場合には、保温ヒータ２２を作動させないことを特徴とする。
【００１１】
制御部２３は、保温ヒータ２２が作動したのちに、冷蔵室５の検知温度ＤＲがヒータオン温度値ＤＨｎよりも高い温度値である所定のヒータオフ温度値ＤＨｆ以上になると、保温ヒータ２２の作動を停止させるようになっている。
【００１２】
保温ヒータ２２は、冷蔵室５の冷却器７に臨ませて配置されていて、冷蔵室用の冷却器７の除霜用のヒータを兼ねているものとすることができる。
【発明の効果】
【００１３】
本発明においては、制御部２３は、冷蔵室用の電磁弁１５がオフ、かつ冷凍室用の電磁弁１９がオンである状態で、冷蔵室５の検知温度ＤＲがヒータオン温度値ＤＨｎ以下になると計時を開始し、該計時時間Ｔが所定の待機時間Ｈｔを経過したときにも、冷蔵室５の検知温度ＤＲがヒータオン温度値ＤＨｎ以下の場合に、保温ヒータ２２を作動させる。これにて冷蔵室５内が加温される。
【００１４】
つまり、冷蔵室用の電磁弁１５がオフのときには、冷媒は冷蔵室用の冷却器７に送られないが、該冷却器７には、既に送られた冷媒が液体状態で残留している。また、冷蔵室用の電磁弁１５がオフであっても冷凍室用の電磁弁１９がオンである場合には、冷凍室用の冷却器９に冷媒を送るために圧縮機１２は作動している。この圧縮機１２の作動によって冷蔵室用の冷却器７の冷媒出口７ｂ側の圧力が低下し、これにて前記冷却器７に残留している冷媒が気化する。この気化熱で冷蔵室５内が冷却されて、冷蔵室５内の温度が低下する。そして、本発明は、計時時間Ｔが待機時間Ｈｔを経過したときにも、冷蔵室５の検知温度ＤＲがヒータオン温度値ＤＨｎ以下であると、保温ヒータ２２をオンして冷蔵室５を加温し、冷蔵室５内が前記残留冷媒の気化で過度に低温になることを防止している。これによって冷蔵室５内の貯蔵物が凍結したり、冷蔵室５内の温度変動幅が大きくなって貯蔵物の品質劣化等を招いたりすること等が防止される。
【００１５】
一方、本発明は、前記計時時間Ｔが待機時間Ｈｔを経過したときに、冷蔵室５の検知温度ＤＲがヒータオン温度値ＤＨｎよりも高い場合には、保温ヒータ２２が作動しない。つまり、冷蔵室５の検知温度ＤＲがヒータオン温度値ＤＨｎ以下となっても、例えば、この直後に冷凍室用の電磁弁１９がオフになって圧縮機１２が停止したときには、冷蔵室用の冷却器７の冷媒出口７ｂ側の圧力低下が停止して、冷却器７に残留している冷媒の気化が抑えられる。このため、冷蔵室５内の温度が、早期にヒータオン温度値ＤＨｎよりも高くなる。この場合には、冷蔵室５がヒータオン温度値ＤＨｎ以下となる時間が短いことで、冷蔵室５内の貯蔵物の凍結や品質劣化等を招いたりすることがない。かかる場合に保温ヒータ２２を作動させないことで、保温ヒータ２２が頻繁に作動および停止することが抑えられる。これにて、保温ヒータ２２を作動および停止するために、例えば保温ヒータ２２に接続されたリレーの開閉回数を低減できて、該リレーの寿命を延ばすことができ、また保温ヒータ２２の作動回数が減って該保温ヒータ２２の寿命を延ばすことができる。さらに、必要以上に保温ヒータ２２を作動させないことで、省電力化が図れる。
【００１６】
保温ヒータ２２が作動したのちに、冷蔵室５の検知温度ＤＲがヒータオン温度値ＤＨｎよりも高い温度値であるヒータオフ温度値ＤＨｆ以上になると、保温ヒータ２２の作動を停止させるので、冷蔵室５内が十分に温められるまで保温ヒータ２２を作動させることができて、冷蔵室５内が過度に低温になることを確実に防止できる。
【００１７】
保温ヒータ２２が、冷蔵室用の冷却器７の除霜用のヒータを兼ねていると、除霜用のヒータとは別に保温ヒータ２２を設けなくても済み、この分だけ冷凍冷蔵庫のコストアップを防止できる。
【発明を実施するための最良の形態】
【００１８】
本発明に係る冷凍冷蔵庫の実施形態を図１ないし図４に基づいて説明する。図２において冷凍冷蔵庫には、前面が開口する断熱構造のケース本体１と、該ケース本体１の内部空間を上下に仕切る断熱構造の仕切り壁２と、ケース本体１の下側に配置した機械室３とを備えている。そして、ケース本体１内における仕切り壁２の上部に冷蔵室５が構成され、仕切り壁２の下部に冷凍室６が構成される。つまり、本冷凍冷蔵庫は、冷蔵室５および冷凍室６を有している。
【００１９】
冷蔵室５および冷凍室６内には、冷却器７・９がそれぞれ配置される。冷蔵室５の冷却器７は、冷蔵室５の後部に配置されたダクト４内の上端部に配置される。そして、ダクト４の上部開口に配置したファン８によってダクト４内に吸い込まれた冷蔵室５内の冷気が、冷却器７で冷却されたのち、ダクト４の下部開口から冷蔵室５内に吹き出される。冷凍室６の冷却器９は、パネル状に形成されて冷凍室６の内壁に配置される。冷蔵室５内は、例えば５℃に冷却され、冷凍室６内は、例えば−３０℃に冷却される。冷蔵室５および冷凍室６の各前面開口は、断熱構造の扉１０・１１によってそれぞれ開閉操作される。
【００２０】
機械室３内には、図１に示すように、冷凍機構１８が配置されており、該冷凍機構１８は、一台の圧縮機１２と一台の凝縮器１３とによって構成される。そして、各冷却器７・９の冷媒入口７ａ・９ａが、膨張弁１６・２０および電磁弁１５・１９を介して凝縮器１３の冷媒出口１３ｂにそれぞれ接続され、凝縮器１３の冷媒入口１３ａが圧縮機１２の冷媒出口１２ｂに接続される。つまり、各冷却器７・９の冷媒入口７ａ・９ａ側が、同一の凝縮器１３を介して同一の圧縮機１２の冷媒出口１２ｂ側にそれぞれ接続される。また、冷蔵室５の冷却器７の冷媒出口７ｂが、キャピラリチューブ１７を介して圧縮機１２の冷媒入口１２ａに接続され、冷凍室６の冷却器９の冷媒出口９ｂが、逆止弁２１を介して圧縮機１２の冷媒入口１２ａに接続される。つまり、各冷却器７・９の冷媒出口７ｂ・９ｂが、前記圧縮機１２の冷媒入口１２ａ側にそれぞれ接続される。
【００２１】
冷蔵室５には、図２に示すように冷却器７に臨ませて保温ヒータ２２が配置されており、該保温ヒータ２２は、冷蔵室５の冷却器７の除霜に使用されるとともに冷蔵室５内の加温に使用される。また、冷蔵室５および冷凍室６には、各室５・６内の温度を検知する温度センサ２５・２６（図１）をそれぞれ配置してある。なお、凝縮器１３は、ファン１４の送風によって冷却される。
【００２２】
冷凍冷蔵庫には、各温度センサ２５・２６の検知温度に基づいて、各室５・６内が所定の温度範囲内になるように各電磁弁１５・１９のオンオフを制御するとともに、保温ヒータ２２の作動を制御する制御部２３が設けられている。なお、保温ヒータ２２は、制御部２３で開閉制御されるリレー（不図示）によって作動が操作される。
【００２３】
また、制御部２３は、両電磁弁１５・１９の少なくとも一方がオン（開弁）しているときには圧縮機１２を作動させ、両電磁弁１５・１９がオフ（閉弁）のときに圧縮機１２を停止する。冷蔵室用の電磁弁１５がオンしたときには、圧縮機１２で圧縮されて凝縮器１３で液化した冷媒が冷蔵室用の冷却器７に供給され、該冷媒の気化熱で冷蔵室５内が冷却される。また、冷凍室用の電磁弁１９がオンしたときには、圧縮機１２で圧縮されて凝縮器１３で液化した冷媒が冷凍室用の冷却器９に供給され、該冷媒の気化熱で冷凍室６内が冷却される。
【００２４】
次に、本発明の冷凍冷蔵庫の動作を、図３のフローチャートおよび図４のタイミングチャートを用いて説明する。図３のフローチャート（以下、本フローチャートと記す。）は、冷蔵室用の電磁弁１５がオフ、かつ冷凍室用の電磁弁１９がオンの状態で実行される。制御部２３には、計時用のタイマー２９（図１）が内蔵されており、該タイマー２９は、本フローチャートの実行開始の際にリセットされる。
【００２５】
制御部２３は、本フローチャートの実行に先立って、図４のタイミングチャートに示すように、冷蔵室用の温度センサ２５での冷蔵室５の検知温度ＤＲが、予め設定された所定の冷蔵室弁オン温度値Ｄｎ１（例えば７℃）以上になると冷蔵室用の電磁弁１５をオンし、この後に検知温度ＤＲが、予め設定された所定の冷蔵室弁オフ温度値Ｄｆ１（例えば３℃）以下になると電磁弁１５をオフにする。また、制御部２３は、冷凍室用の温度センサ２６での冷凍室６の検知温度ＤＦが、予め設定された所定の冷凍室弁オン温度値Ｄｎ２（例えば−２８℃）以上になると冷凍室用の電磁弁１９をオンし、この後に検知温度ＤＦが、予め設定された所定の冷凍室弁オフ温度値Ｄｆ２（例えば−３１℃）以下になると電磁弁１９をオフにする。
【００２６】
そして、制御部２３は、本フローチャートを実行したときには、まず冷蔵室５の検知温度ＤＲが、予め設定された所定のヒータオン温度値ＤＨｎ（例えば２℃）以下になっているか否かを判断し（Ｓ１）、該検知温度ＤＲがヒータオン温度値ＤＨｎを超えていると（Ｓ１でＮＯ）、冷蔵室用の電磁弁１５がオフ、かつ冷凍室用の電磁弁１９がオンの状態であるか否かを判別する（Ｓ２、Ｓ３）。冷蔵室用の電磁弁１５がオフ、かつ冷凍室用の電磁弁１９がオンの状態であると（Ｓ２およびＳ３でＹＥＳ）、Ｓ１に戻ってＳ１以降の処理を繰り返す。なお、ヒータオン温度値ＤＨｎは、冷蔵室弁オフ温度値Ｄｆ１よりも低い温度値に設定される。
【００２７】
一方、Ｓ１で冷蔵室５の検知温度ＤＲがヒータオン温度値ＤＨｎ以下になると（Ｓ１でＹＥＳ）、制御部２３は、タイマー２９による計時を開始し（Ｓ４：時刻ｔ１）、タイマー２９の計時時間Ｔが、予め設定された所定の待機時間Ｈｔ（例えば６０秒）を経過するまでは（Ｓ５でＮＯ）、Ｓ２に移行してＳ２以降の処理を繰り返す。計時時間Ｔが待機時間Ｈｔを経過すると（Ｓ５でＹＥＳ：時刻ｔ２）、制御部２３は、冷蔵室５の検知温度ＤＲが予め設定された所定のヒータオフ温度値ＤＨｆ（例えば３℃）以下であるか否かを判断する（Ｓ６）。
【００２８】
Ｓ５でＹＥＳとなったときには、冷蔵室５の検知温度ＤＲが、ヒータオン温度値ＤＨｎ以下であり、これにてヒータオフ温度値ＤＨｆよりも低くなっているので（Ｓ６でＮＯ）、保温ヒータ２２を作動する（Ｓ７）。この保温ヒータ２２の作動によって冷蔵室５が加温され、冷蔵室５内の温度が上昇する。この後、制御部２３は、冷蔵室５の検知温度ＤＲがヒータオフ温度値ＤＨｆ以上になると（Ｓ６でＹＥＳ：時刻ｔ３）、保温ヒータ２２の作動を停止して冷蔵室５内の加温を停止し（Ｓ８）、本フローチャートの実行を終了する。なお、ヒータオフ温度値ＤＨｆは、ヒータオン温度値ＤＨｎよりも高い温度値である。
【００２９】
一方、Ｓ１で冷蔵室５の検知温度ＤＲが、一旦ヒータオン温度値ＤＨｎ以下になっても（Ｓ１でＹＥＳ：時刻ｔ４）、待機時間Ｈｔの経過までに冷蔵室５の検知温度ＤＲがヒータオン温度値ＤＨｎよりも高くなると（Ｓ１でＮＯ：時刻ｔ５）、制御部２３は、Ｓ６に移行することなく、例えば冷蔵室用の電磁弁１５のオンを待って（Ｓ２でＹＥＳ）、本フローチャートの実行を終了する。この場合には、保温ヒータ２２は作動しない。
【００３０】
また、Ｓ２、Ｓ３において、例えば、冷凍室６の検知温度ＤＦが冷凍室弁オフ温度値Ｄｆ２以下になって、冷凍室用の電磁弁１９がオフになっているときや（Ｓ３でＮＯ）、外気温度が高いために冷蔵室５内の温度が上昇して、冷蔵室用の電磁弁１５がオンになっているときには（Ｓ２でＮＯ）、制御部２３は、本フローチャートの実行を終了する。
【００３１】
このように、本発明では、制御部２３は、冷蔵室用の電磁弁１５がオフ、かつ冷凍室用の電磁弁１９がオンである状態で、冷蔵室５の検知温度ＤＲがヒータオン温度値ＤＨｎ以下になると計時を開始し、該計時時間Ｔが待機時間Ｈｔを経過したときに、冷蔵室５の検知温度ＤＲがヒータオン温度値ＤＨｎ以下の場合には、保温ヒータ２２を作動させている。
【００３２】
つまり、冷蔵室用の電磁弁１５がオフのときには、冷媒が冷蔵室用の冷却器７に送られないが、該冷却器７には、既に送られた冷媒が液体で残留している。また、冷蔵室用の電磁弁１５がオフであっても冷凍室用の電磁弁１９がオンであると、冷凍室用の冷却器９に冷媒を送るために圧縮機１２は作動している。この圧縮機１２の作動によって冷蔵室用の冷却器７の冷媒出口７ｂ側の圧力が低下し、これにて前記冷却器７の残留冷媒が気化し、この気化熱で冷蔵室５内が冷却されて冷蔵室５内の温度が低下する。本発明は、計時時間Ｔが待機時間Ｈｔを経過したときに、冷蔵室５の検知温度ＤＲがヒータオン温度値ＤＨｎ以下であると、保温ヒータ２２をオンして冷蔵室５を加温し、冷蔵室５内が前記残留冷媒の気化で過度に低温になることを防止している。
【００３３】
一方、本発明は、前記計時時間Ｔが待機時間Ｈｔを経過したときに、冷蔵室５の検知温度ＤＲがヒータオン温度値ＤＨｎよりも高い場合には、保温ヒータ２２が作動しない。つまり、例えば、冷蔵室５の検知温度ＤＲがヒータオン温度値ＤＨｎ以下となっても、この直後に冷凍室用の電磁弁１９がオフになって圧縮機１２が停止したときには、冷蔵室用の冷却器７の冷媒出口７ｂ側の圧力低下が停止して、冷却器７に残留している冷媒の気化が抑えられる。このため、冷蔵室５内の温度が、早期にヒータオン温度値ＤＨｎよりも高くなる。かかる場合に保温ヒータ２２を作動させないことで、保温ヒータ２２が頻繁に作動および停止することが抑えられる。
【００３４】
制御部２３は、例えば所定の時間（夜間等）になると保温ヒータ２２を作動させて、冷蔵室用の冷却器７の除霜を行う。なお、本フローチャートでは、Ｓ７で保温ヒータ２２が作動したのち、冷蔵室５の検知温度ＤＲがヒータオフ温度値ＤＨｆ以上になると（Ｓ６でＹＥＳ）、保温ヒータ２２の作動を停止したが、前記保温ヒータ２２が作動したのち、所定時間が経過したときに保温ヒータ２２の作動を停止させてもよい。ヒータオン温度値ＤＨｎは、ヒータオフ温度値ＤＨｆと等しい値であってもよい。
【図面の簡単な説明】
【００３５】
【図１】本発明に係る冷凍冷蔵庫を示すブロック構成図である。
【図２】本発明に係る冷凍冷蔵庫の概略構成を示す概略縦断面図である。
【図３】本発明に係る制御部の動作を示すフローチャートである。
【図４】本発明に係る制御部の動作を示すタイミングチャートである。
【符号の説明】
【００３６】
５  冷蔵室
６  冷凍室
７・９  冷却器
７ａ・９ａ  冷却器の冷媒入口
７ｂ・９ｂ  冷却器の冷媒出口
１２  圧縮機
１２ａ  圧縮機の冷媒入口
１２ｂ  圧縮機の冷媒出口
１５・１９  電磁弁
２２  保温ヒータ
２３  制御部
２５・２６  温度センサ
【図１】
2010025485.tif 000003
【図２】
2010025485.tif 000004
【図３】
2010025485.tif 000005
【図４】
2010025485.tif 000006